(57)【要約】      （修正有）【課題】棚それぞれの位置決めを容易ならしめることにより、栽培作業の効率を向上させる。【解決手段】収納棚１０それぞれが左右方向に並べられた状態でガイドレール２０にガイドされつつ移動するため、容易に位置決めすることができる。及び初期位置を中心に左右方向に移動可能な状態で天井からつり下げるつり下げ部２０と収納棚１０それぞれの上方から収納棚１０における最上段の設置部に向けて給水するホース３０を設けて、収納棚１０における左右方向の移動を一定範囲にわたって許容する長さとしている。これにより、建物内により多くの棚を設置したとしても、種苗の配置、水やり、収穫、といった栽培作業時のスペース確保が迅速に行うことができ、栽培作業の効率が著しく向上する。【選択図】図２
2012139206.tif 000002
【特許請求の範囲】
【請求項１】
それぞれに栽培トレイを設置するための設置部が上下方向に形成されてなる収納棚と、
複数の前記収納棚を左右方向に並べた位置関係で、かつ、初期位置を中心に左右方向に移動可能な状態で天井からつり下げるつり下げ部と、
前記収納棚それぞれの上方から、該収納棚における最上段の設置部に向けて給水するホースであり、該収納棚における左右方向の移動を一定範囲にわたって許容する長さとなっている給水ホースと、を備え、
前記収納棚において、
前記設置部それぞれは、該設置部に設置された栽培トレイを浸水させられる程度の深さを有するトレイ状となっており、
最上段の設置部には、前記給水ホースからの給水箇所から前後方向および左右方向のいずれか一方の方向を給水方向とした場合に、該給水方向の一端側から他端側に向けて傾斜する通水路が形成され、かつ、該給水方向の他端から下方に向けて給水する給水路が形成されており、
それ以外の設置部には、上段の設置部からの給水箇所における前記給水方向の一端側から他端側または他端側から一端側に向けて傾斜する通水路が形成され、かつ、該給水方向の前記給水方向の他端側または一端側から下方に向けて給水する給水路が形成されており、
前記つり下げ部は、
前記収納棚の上端部それぞれを保持した状態で、該上端部の左右方向への移動をガイドするガイドレールを備えている
ことを特徴とする植物栽培システム。
【発明の詳細な説明】
【技術分野】
【０００１】
本発明は、植物栽培システムに関する。
【背景技術】
【０００２】
近年、建物内において植物の栽培を行うシステムとして、例えば、床に沿って移動可能な多段ラック式の棚を複数並べたものが提案されている（特許文献１参照）。
【先行技術文献】
【特許文献】
【０００３】
【特許文献１】特許第３１０５４８２号
【発明の概要】
【発明が解決しようとする課題】
【０００４】
しかし、上記システムは、棚それぞれが床側に設けられた車輪にて自走する構成であるため、棚それぞれの位置決めが難しく、作業性が非常に悪い。具体的には、建物内において植物を栽培する関係上、建物内により多くの棚を設置することが必要とされるところ、位置決めが難しいために、種苗の配置、水やり、収穫、といった栽培作業時のスペース確保に時間と手間を要してしまうからである。
【０００５】
本発明は、このような課題を解決するためになされたものであり、その目的は、棚それぞれの位置決めを容易ならしめることにより、栽培作業の効率を向上させるための技術を提供することである。
【課題を解決するための手段】
【０００６】
上記課題を解決するため第１の構成（請求項１）は、それぞれに栽培トレイを設置するための設置部が上下方向に形成されてなる収納棚と、複数の前記収納棚を左右方向に並べた位置関係で、かつ、初期位置を中心に左右方向に移動可能な状態で天井からつり下げるつり下げ部と、前記収納棚それぞれの上方から、該収納棚における最上段の設置部に向けて給水するホースであり、該収納棚における左右方向の移動を一定範囲にわたって許容する長さとなっている給水ホースと、を備えている。
【０００７】
また、前記収納棚において、前記設置部それぞれは、該設置部に設置された栽培トレイを浸水させられる程度の深さを有するトレイ状となっており、最上段の設置部には、前記給水ホースからの給水箇所から前後方向および左右方向のいずれか一方の方向を給水方向とした場合に、該給水方向の一端側から他端側に向けて傾斜する通水路が形成され、かつ、該給水方向の他端から下方に向けて給水する給水路が形成されており、それ以外の設置部には、上段の設置部からの給水箇所における前記給水方向の一端側から他端側または他端側から一端側に向けて傾斜する通水路が形成され、かつ、該給水方向の前記給水方向の他端側または一端側から下方に向けて給水する給水路が形成されている。
【０００８】
そして、前記つり下げ部は、前記収納棚の上端部それぞれを保持した状態で、該上端部の左右方向への移動をガイドするガイドレールを備えている。
このように構成された植物栽培システムによれば、収納棚それぞれが左右方向に並べられた状態でガイドレールにガイドされつつ移動するため、容易に位置決めすることができる。これにより、建物内により多くの棚を設置したとしても、種苗の配置、水やり、収穫、といった栽培作業時のスペース確保が迅速に行うことができ、栽培作業の効率が著しく向上する。
【０００９】
さらに、給水ホースが、収納棚における左右方向の移動を一定範囲にわたって許容する長さとなっているため、作業時のスペースとして必要な範囲に応じた長さを設定しておくことにより、給水が妨げられることなく、栽培作業時のスペースを確保できる。
【図面の簡単な説明】
【００１０】
【図１】植物栽培システムの全体構成を示す上面図および正面図である。
【図２】植物栽培システムの詳細を示す正面図である。
【図３】植物栽培システムの詳細を示す側面図である。
【図４】別の実施形態における植物栽培システムの詳細を示す正面図である。
【発明を実施するための形態】
【００１１】
以下に本発明の実施形態を図面と共に説明する。
（１）全体構成
植物栽培システム１は、図１に示すように、建物内において植物の栽培を行うシステムである。この植物栽培システム１は、図２，図３に示すように、それぞれに栽培トレイを設置するための設置部１２が上下方向に形成されてなる収納棚１０と、複数の収納棚１０を左右方向に並べた位置関係で、かつ、初期位置を中心に左右方向に移動可能な状態で天井からつり下げるつり下げ部２０と、収納棚１０それぞれの上方から、該収納棚１０における最上段の設置部１２に向けて給水する給水ホース３０と、を備えている。
【００１２】
これらのうち、給水ホース３０は、対応する収納棚１０における左右方向の移動を一定範囲にわたって許容する長さとなっている。
また、収納棚１０は、前後方向に延びる矩形の構造体となっており、設置部１２それぞれの上方に、この設置部１２に設置された栽培トレイへの投光を行う光源（本実施形態では、特定波長の蛍光灯またはＬＥＤ）４０が配置されている。
【００１３】
また、収納棚１０における設置部１２それぞれは、該設置部１２に設置された栽培トレイを浸水させられる程度の深さを有するトレイ状となっている。
また、最上段の設置部１２には、給水ホース３０からの給水箇所である給水方向の一端側から他端側に向けて傾斜する通水路が形成されており、該給水方向の他端から下方に向けて給水する給水路１４が形成されている。また、それ以外の設置部１２には、上段の設置部１２からの給水箇所である給水方向の一端側から他端側または他端側から一端側に向けて傾斜する通水路が形成され、該給水方向の給水方向の他端側または一端側から下方に向けて給水する給水路１６が形成されている。
【００１４】
また、つり下げ部２０は、収納棚１０を構成する支柱それぞれの上端部に設けられた車輪２２と、車輪２２それぞれを保持した状態で、この車輪２２の左右方向への移動をガイドするガイドレール２４と、を備えている。
（２）作用，効果
このように構成された植物栽培システム１によれば、収納棚１０それぞれが左右方向に並べられた状態でガイドレール２４にガイドされつつ移動するため、容易に位置決めすることができる。これにより、建物内により多くの棚を設置したとしても、種苗の配置、水やり、収穫、といった栽培作業時のスペース確保が迅速に行うことができ、栽培作業の効率が著しく向上する。
【００１５】
さらに、給水ホース３０が、収納棚１０における左右方向の移動を一定範囲にわたって許容する長さとなっているため、作業時のスペースとして必要な範囲に応じた長さを設定しておくことにより、給水が妨げられることなく、栽培作業時のスペースを確保できる。
【００１６】
本実施形態における植物栽培システム１は、建物内において植物を栽培する関係上、建物内により多くの収納棚１０を設置することが必要とされるため、全ての収納棚１０それぞれに対して作業スペースを確保することはできない。
【００１７】
この課題に対し、本実施形態では、各収納棚１０を順次左右方向に移動させていくことにより、この作業スペースを収納棚１０と共に移動させていくことができるため、全体で１つの収納棚１０に対応する作業スペースだけを確保しておけばよく、その結果、建物内により多くの収納棚１０を設置することが可能になる。
（３）変形例
以上、本発明の実施の形態について説明したが、本発明は、上記実施形態に何ら限定されることはなく、本発明の技術的範囲に属する限り種々の形態をとり得ることはいうまでもない。
【００１８】
例えば、上記実施形態においては、単体の収納棚１０が天井からつり下げられる構成を例示したが、天井からつり下げられた収納棚１０の下端側に、さらに別の収納棚１０を取り付けた構成としてもよい。この場合、図４に示すように、建物における天井から床面までの高さに応じて収納棚１０全体の高さを調整できるように調整部材５０を設けておくことが望ましい。
【符号の説明】
【００１９】
１…植物栽培システム、１０…収納棚、１２…設置部、１４…給水路、１６…給水路、２０…つり下げ部、２２…車輪、２４…ガイドレール、３０…給水ホース、４０…光源、５０…調整部材。
【図１】
2012139206.tif 000003
【図２】
2012139206.tif 000004
【図３】
2012139206.tif 000005
【図４】
2012139206.tif 000006